(57)【要約】【課題】好適な撮影が可能な撮像装置を提供すること。【解決手段】本発明に係るカメラ本体１００は、開口７３が形成されたシャッタ基板４３と、前記開口７３を通過する光を遮断するシャッタ羽根４４とを有するシャッタ部４５と、前記開口７３を通過する光の像を撮像する撮像部４と、前記シャッタ基板４３と前記撮像部４との間に備えられ、前記開口７３を通過した光を透過させる光透過部材３０と、前記光透過部材３０に備えられ前記光透過部材３０を振動させる振動部２０と、前記光透過部材３０及び前記振動部２０を封止するように前記シャッタ基板４３と前記撮像部４とを連結する連結部１４とを含む。【選択図】図３
2010160257.tif 000002
【特許請求の範囲】
【請求項１】
開口が形成されたシャッタ基板と、前記開口を通過する光を遮断するシャッタ羽根とを有するシャッタ部と、
前記開口を通過する光の像を撮像する撮像部と、
前記シャッタ基板と前記撮像部との間に備えられ、前記開口を通過した光を透過させる光透過部材と、
前記光透過部材に備えられ前記光透過部材を振動させる振動部と、
前記光透過部材及び前記振動部を封止するように前記シャッタ基板と前記撮像部とを連結する連結部とを含むことを特徴とする撮像装置。
【請求項２】
請求項１に記載された撮像装置であって、
前記光透過部材は前記振動部を介して前記シャッタ基板に接続されていることを特徴とする撮像装置。
【請求項３】
請求項１又は請求項２に記載された撮像装置であって、
前記連結部の光透過部材に対向した部分に備えられ、前記光透過部材から除去された塵埃を保持する塵埃保持部を有することを特徴とする撮像装置。
【請求項４】
請求項１から請求項３までの何れか１項に記載された撮像装置であって、
前記振動部は、前記光透過部材の前記開口に対向する領域よりも外周側に備えられていることを特徴とする撮像装置。
【請求項５】
請求項１から請求項４までの何れか１項に記載された撮像装置であって、
前記撮像部は、撮像した像を電気信号に変換する撮像素子と、前記光透過部材と前記撮像素子との間に備えられ前記光透過部材よりも面積が大きい透過部とを有し、
前記連結部は、前記透過部と前記シャッタ基板とを連結することを特徴とする撮像装置。
【請求項６】
請求項５に記載された撮像装置であって、
前記透過部と前記光透過部材とを封止する封止部材を有し、
前記振動部は、前記シャッタ基板と前記光透過部材との間に備えられていることを特徴とする撮像装置。
【請求項７】
請求項１から請求項６までの何れか１項に記載された撮像装置であって、
前記光透過部材は光学ローパスフィルタの少なくとも一部であることを特徴とする撮像装置。
【発明の詳細な説明】
【技術分野】
【０００１】
本発明は、撮像装置に関する。
【背景技術】
【０００２】
一眼レフカメラ等の光学機器において、レンズ鏡筒を交換する際に塵埃がカメラ本体に侵入してしまうことがある。また、カメラ内部において、シャッタ等の駆動ユニットから塵が発生することがあり、これらのゴミが撮像素子前面の光透過性部材に付着し、撮影結果にゴミが写り込んでしまう場合がある。  
【０００３】
このような問題点に対し、シャッタ枠と光学ローパスフィルタとの間の光路空間を密閉する構造にすることにより、塵埃の侵入を防止する技術が知られている（特許文献１参照）。特許文献１によれば、シャッタ枠と光学ローパスフィルタとの間に伸縮部材を狭み込み、撮像素子を囲う密閉空間を形成する。さらに、シャッタ枠と光学ローパスフィルタとの間隔を狭くすることにより、塵埃の侵入防止を図ることが開示されている。
【０００４】
しかしながら、従来の技術では、シャッタ等の駆動ユニットから発生する塵埃が光学ローパスフィルタ表面に付着して、撮影結果に悪影響を及ぼす虞があった。また、塵埃が光学ローパスフィルタ表面に付着した場合に、光学ローパスフィルタの振動等によって塵埃をふるい落とすような機構を搭載するスペースを確保することが難しかった。
【先行技術文献】
【特許文献】
【０００５】
【特許文献１】特開２００４−８８５９３号公報
【発明の概要】
【発明が解決しようとする課題】
【０００６】
本発明は、このような状況に鑑みてなされ、本発明の目的は、好適な撮影が可能な撮像装置を提供することである。
【課題を解決するための手段】
【０００７】
上記目的を達成するために、本発明に係るカメラ本体（１００）は、
開口（７３）が形成されたシャッタ基板（４３）と、前記開口（７３）を通過する光を遮断するシャッタ羽根（４４）とを有するシャッタ部（４５）と、
前記開口（７３）を通過する光の像を撮像する撮像部（４）と、
前記シャッタ基板（４３）と前記撮像部（４）との間に備えられ、前記開口（７３）を通過した光を透過させる光透過部材（３０）と、
前記光透過部材（３０）に備えられ前記光透過部材（３０）を振動させる振動部（２０）と、
前記光透過部材（３０）及び前記振動部（２０）を封止するように前記シャッタ基板（４３）と前記撮像部（４）とを連結する連結部（１４）とを含む。
【０００８】
連結部が、前記シャッタ基板と前記撮像部とを連結することにより、前記シャッタ基板と前記撮像部、および前記連結部とで囲まれた空間の密閉性を向上させることができる。さらに、その密閉された空間に、前記振動部を有するためのスペースを容易に確保することができる。その結果、前記シャッタ基板と前記撮像部との隙間から塵埃が侵入するのを防止するだけでなく、前記シャッタ基板から発生する塵をも除去することができ、撮影結果にゴミが写り込んでしまうのを防止することができる。
【０００９】
前記光透過部材（３０）は前記振動部（２０）を介して前記シャッタ基板（４３）に接続されていても良い。
【００１０】
前記振動部が、前記光透過部材と前記シャッタ基板との間に設けられることにより、前記振動部が前記シャッタ基板に固定される。したがって比較的に小さいエネルギーで前記光透過部材に振動を確実に発生させることができる。
【００１１】
カメラ本体（１００）は、前記連結部（１４）の光透過部材（３０）に対向した部分に備えられ、前記光透過部材（３０）から除去された塵埃を保持する塵埃保持部（１６）を有しても良い。
【００１２】
前記連結部に前記塵埃保持部を設けることにより、前記光透過部材の振動により剥がれ落ちた塵埃、または前記シャッタ基板やシャッタ羽根等から発生した塵を吸着し、その塵埃が前記光透過部材に付着するのを防止することができる。
【００１３】
前記振動部（２０）は、前記光透過部材（３０）の前記開口（７３）に対向する領域よりも外周側に備えられていても良い。
【００１４】
前記撮像部（４）は、撮像した像を電気信号に変換する撮像素子（１２）と、前記光透過部材（３０）と前記撮像素子（１２）との間に備えられ前記光透過部材（３０）よりも面積が大きい透過部（１８）とを有し、前記連結部（１４）は、前記透過部（１８）と前記シャッタ基板（４３）とを連結しても良い。
【００１５】
前記透過部、前記光透過部材に比較して大きなサイズにすることにより、前記連結部により前記シャッタ基板と前記透過部とを連結することが容易になる。また、前記光透過部材を囲む密閉された空間を確保することができる。
【００１６】
カメラ本体（１００）は、前記透過部（１８）と前記光透過部材（３０）とを封止する封止部材（１９）を有し、前記振動部（２０）は、前記シャッタ基板（４３）と前記光透過部材（３０）との間に備えられていても良い。前記光透過部材（３０）は光学ローパスフィルタの少なくとも一部であっても良い。
【００１７】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００１８】
【図１】図１は、本発明の一実施形態に係る一眼レフカメラのブロック図である。
【図２】図２は、本発明の一実施形態に係る一眼レフカメラの概略断面図である。
【図３】図３は、図２の要部の構成を示す部分断面図である。
【図４】図４（Ａ）は図３に係る光学ローパスフィルタの側面図、図４（Ｂ）は図３に係る光学ローパスフィルタの表面を示す正面図、図４（Ｃ）は図４（Ｂ）の光学ローパスフィルタの裏面を示す正面図である。
【図５】図５は、本発明の他の実施形態に係る要部の構成を示す部分断面図
【図６】図６（Ａ）は図５に係る光学ローパスフィルタの側面図、図６（Ｂ）は図５に係る光学ローパスフィルタの表面を示す正面図、図６（Ｃ）は図６（Ｂ）の光学ローパスフィルタの裏面を示す正面図である。
【図７】図７は、本発明の他の実施形態に係る要部の構成を示す部分断面図である。
【図８】図８（Ａ）は図７に係る光学ローパスフィルタの側面図、図８（Ｂ）は図７に係る光学ローパスフィルタの表面を示す正面図、図８（Ｃ）は図８（Ｂ）の光学ローパスフィルタの裏面を示す正面図である。
【発明を実施するための形態】
【００１９】
第１実施形態
図１に示すように、本実施形態に係る撮影装置としての一眼レフカメラ１００のカメラボディ４０には、レンズ鏡筒４２が着脱自在に装着される。カメラボディ４０は、光電変換により画像情報を生成する撮像素子ユニット４を有する。撮像素子ユニット４から光軸Ｚ方向の前方に、光学ローパスフィルタ３０、シャッタ部４５、ミラー４６、絞り部４７、光学レンズ群４８が配置される。光を透過する基板としての光学ローパスフィルタ３０は、いわゆるモアレ現象を除去するために設けられている。
【００２０】
カメラボディ４０にはボディＣＰＵ５０が設けられ、レンズ接点５４を介して、レンズ鏡筒４２に設けられたレンズＣＰＵ５８と通信可能になっている。レンズ接点５４は、カメラボディ４０に対してレンズ鏡筒４２を連結することで、ボディＣＰＵ５０とレンズＣＰＵ５８とを電気的に接続するようになっている。ボディＣＰＵ５０には、電源５２が接続してある。電源５２は、カメラボディ４０に内蔵してある。
【００２１】
レンズ鏡筒４２内のレンズＣＰＵ５８には、焦点距離エンコーダ６６、距離エンコーダ６４、絞り駆動部（たとえばＳＴＭ）６８などが接続してある。焦点距離エンコーダ６６から、焦点距離がレンズＣＰＵ５８に入力され、焦点距離情報がボディＣＰＵ５０に出力される。距離エンコーダ６４は、光学レンズ群４８の一部のフォーカシング機構の繰り出し位置を検出する。レンズＣＰＵ５８より絞り駆動部６８が制御されることによって、絞り４７が絞り込まれる。レンズ鏡筒４２の各部材は、カメラボディ４０の電源５２から、レンズ接点５４の一部を介して電圧の供給を受けている。
【００２２】
カメラボディ４０内のボディＣＰＵ５０には、レリーズスイッチ５１、ストロボ５３、表示部５５、ジャイロセンサ７０、ＥＥＰＲＯＭ（メモリ）６０、防振スイッチ６２、防塵フィルタ駆動回路５６、画像処理コントローラ５９、ＡＦセンサ７２などが接続してある。画像処理コントローラ５９には、インターフェース回路５７を介して、撮像素子ユニット４の撮像素子１２が接続してあり、撮像素子にて撮像された画像の画像処理を制御可能になっている。
【００２３】
表示部５５は、メニュー表示により各種設定を行ったり、撮影画像を表示する機能を有し、たとえば液晶モニタで構成される。ジャイロセンサ７０は、手ブレ等によって生じる角速度を検出し、検出信号を積分することによりブレ角度を演算して、出力信号を防振（ブレを打ち消す）のために使用する。
【００２４】
電源５２のＯＮ／ＯＦＦ時や任意のタイミングで、ボディＣＰＵ５０から防塵フィルタ駆動回路５６に信号が入力され、防塵フィルタ駆動回路５６からの出力信号を受けて、所定の周波数で防塵フィルタが駆動され、防塵動作を行う。
【００２５】
光路上にあるミラー４６は、光軸Ｚ方向から入射した光束を反射して不図示のファインダーに像を導くためのもので、サブミラー４６ａは、ミラー４６を透過した光束を反射してＡＦセンサ（たとえばＣＣＤセンサ）７２に導く。ミラー４６およびサブミラー４６ａは、不図示のミラー駆動部（たとえばＤＣモータ）により駆動され、露光中は光路から退避する。
【００２６】
レリーズスイッチ５１は、シャッタ駆動のタイミングを操作するスイッチであり、レリーズスイッチ５１のＯＮ信号がボディＣＰＵ５０に入力され、レリーズスイッチ５１の半押し時にはＡＥ、ＡＦ、防振駆動等を行う。レリーズスイッチ５１の全押し時には、ミラーアップ、シャッタ駆動等を行う。このとき、シャッタ部４５が不図示のシャッタ駆動部（たとえばＤＣモータ）により駆動され、撮像素子１２が受光する。
【００２７】
撮像素子１２により光電変換された撮影画像信号は、インターフェース回路５７、画像処理コントローラ５９を経てボディＣＰＵ５０に入力され、ＥＥＰＲＯＭ６０に記憶される。また、撮影画像は表示部５５に表示される。
【００２８】
防塵フィルタ駆動回路５６は、圧電素子に接続してあり、所定の入力信号により圧電素子を駆動し、光学ローパスフィルタ３０を振動させ、光学ローパスフィルタ３０の表面に付着している塵埃を除去する動作を行う。
【００２９】
図２に示すように、本実施形態に係る撮影装置としての一眼レフカメラ１００のカメラボディ４０には、各種部品の配置を決める固定部７１がある。固定部７１の材料としては、特に限定されないが、各種合金や剛性の高い樹脂が好ましい。撮像部４の基板１０は、固定部７１にネジ止め等により固定されている。撮像部４は、撮像素子１２を有する。
【００３０】
撮像部４の光軸Ｚ方向前方には、シャッタ部４５が配置されている。このシャッタ部４５は、複数の遮光部材からなるシャッタ羽根４４を有している（フォーカルプレーンシャッタ）。シャッタ部４５は開口部７３を有する。開口部７３にはシャッタ羽根４４が配置されており、光軸Ｚ方向から入射する光束を遮るように展開している。そして、撮影者が図１に示すレリーズスイッチ５１を押下し、撮影が行われる間に、所定のシャッタ速度において、シャッタ羽根４４が一時的に重畳され、撮像素子１２が所定時間だけ露光される。所定時間経過後（たとえば１／１０００秒）、再びシャッタ羽根４４が展開し、光路を遮ることによって、露光が終了する。
【００３１】
このように、一般的なフォーカルプレーンシャッタによる撮影においては、シャッタ羽根４４の重畳および展開が非常に高速で繰り返されるために、シャッタ部４５を構成する部品が摩耗して、塵が発生しやすい。そしてその塵が撮像部４の表面を覆っている透明部材（本実施形態では、光学ローパスフィルタ３０）に付着しやすい。
【００３２】
図３に示すように、本実施形態に係る撮像素子ユニット４は、基板１０を有する。基板１０の中央部の光軸Ｚ方向前方には、透過ガラス１８に対向して撮像素子１２が固定してある。撮像素子１２の周囲には、ケース１７が配置してあり、ケース１７は、基板１０の表面に、着脱自在に、あるいは着脱不可に固定してある。
【００３３】
ケース１７は、たとえば合成樹脂あるいはセラミックなどの絶縁体などで構成される。ケース１７の透明ガラス取付面１７ａには、光透過性を有する透過ガラス１８の内面が、弾性を有する気密シール部材（不図示）を介して取り付けられる。なお、撮像素子１２を有する空間を密閉する構造であれば、必ずしも気密シール部材を介在させなくてもよい。
【００３４】
透過ガラス１８の光軸Ｚ方向前方の面には、封止部材である弾性体１９を介して、光透過部材である光学ローパスフィルタ３０が取り付けられている。弾性体１９は、透過ガラス１８と光学ローパスフィルタ３０との間に配置されることにより、透過ガラス１８と光学ローパスフィルタ３０との間の気密性を確保している。
【００３５】
光学ローパスフィルタ３０の光軸Ｚ方向前方の面には、圧電素子２０が接着等により固定されている。圧電素子２０は、光学ローパスフィルタ３０のシャッタ部４５の開口部７３に対向する領域よりも外周側に備えられている。圧電素子２０および弾性体１９は、図４（Ａ）に示すように、それぞれが光学ローパスフィルタ３０の辺に沿うように、光学ローパスフィルタ３０に対して配置される。圧電素子２０は、光学ローパスフィルタ３０におけるシャッタ部材４５側の面に備えられる。さらに、圧電素子２０は、図４（Ｂ）に示すように、光学ローパスフィルタ３０の長辺３０ａに沿って配置される。弾性体１９は、額縁状の形状を有しており、光学ローパスフィルタ３０における撮像素子ユニット４側の面に備えられる。弾性体１９は、図４（Ｃ）に示すように、透過ガラス１８と光学ローパスフィルタ３０とに挟まれるように配置され、透過ガラス１８と光学ローパスフィルタ３０との間に塵埃が侵入することのないように、密閉性を確保している。
【００３６】
本実施形態では、図４（Ｂ）に示すように、２つの圧電素子２０が光学ローパスフィルタ３０の両方の長辺３０ａに沿って配置される例を示したが、圧電素子２０が光学ローパスフィルタ３０のいずれか一方の長辺３０ａのみに配置されても良い。また、２つの圧電素子２０が光学ローパスフィルタ３０の両方の短辺３０ｂに沿って配置されても良い。そして、圧電素子２０が光学ローパスフィルタ３０のいずれか一方の短辺３０ｂのみに配置されても良い。また、圧電素子２０の長さは、特に限定されない。
【００３７】
圧電素子２０は、図１に示す防塵フィルタ駆動回路５６によって駆動される。ボディＣＰＵ５０は、図１に示す防塵フィルタ駆動回路５６に信号を送り、圧電素子２０の駆動を制御する。防塵フィルタ駆動回路５６は、圧電素子２０に周期的な矩形波もしくはサイン波等の電圧を印加する。圧電素子２０に所定の周波数の電圧が印加されることによって、光学ローパスフィルタ３０が振動する。その結果、光学ローパスフィルタ３０の面から受けた慣性力が塵の付着力を上回ると、光学ローパスフィルタ３０の面から塵が離れて、塵の除去が可能になる。
【００３８】
図３に示すように、光学ローパスフィルタ３０の光軸Ｚ方向前方には、シャッタ部４５が配置されている。シャッタ部４５は、シャッタ基板４３と、シャッタ羽根４４を有する。シャッタ基板４３と透過ガラス１８との間には、連結部であるシール部材１４が、シャッタ基板４３と透過ガラス１８とを連結するように設けられている。シール部材１４は、シャッタ基板４３と透過ガラス１８の間の隙間を封止するように配置される。シール部材１４は、たとえば合成樹脂あるいはセラミックなどの絶縁体などで構成される。シール部材１４はまた、可撓性の樹脂でも良い。
【００３９】
シール部材１４によって、シャッタ基板４３と透過ガラス１８とを連結することにより、シャッタ部４５と透過ガラス１８、およびシール部材１４とで囲まれた空間７５の密閉性を向上させることができる。さらに、その密閉された空間７５の中に、圧電素子２０を有するためのスペースを容易に確保することができる。その結果、シャッタ基板４３と透過ガラス１８との隙間から塵埃が侵入するのを防止するだけでなく、シャッタ基板４３やシャッタ羽根４４等から発生する塵をも除去することができ、撮影結果にゴミが写り込んでしまうのを防止することができる。
【００４０】
また、図３に示すように、粘着シート１６が、シール部材１４における光学ローパスフィルタ３０に対向した部分に備えられる。シール部材１４に粘着シート１６を設けることにより、光学ローパスフィルタ３０の振動により剥がれ落ちた塵埃、またはシャッタ基板４３やシャッタ羽根４４等から発生した塵を吸着し、その塵埃が光学ローパスフィルタ３０に付着するのを防止することができる。本実施形態では、粘着シート１６が、光学ローパスフィルタ３０に対してＸ軸下方に配置される例を示したが、これに限定されず、Ｘ軸およびＹ軸のいずれの方向に粘着シート１６を設けても良い。
【００４１】
さらに、本実施形態では、透過ガラス１８の面積を光学ローパスフィルタ３０の面積よりも大きくしている。これにより、シャッタ基板４３と透過ガラス１８とを連結することが容易になる。
第２実施形態
【００４２】
第２実施形態のカメラは、図５に示すように、光学ローパスフィルタ３０に対する圧電素子２０の配置が異なる以外は、図１〜図３に示す第１実施形態に係るカメラ１００と同様であり、重複する説明は省略する。
【００４３】
本実施形態においては、図５に示すように、圧電素子２０を光学ローパスフィルタ３０の撮像素子１２側に配置する。圧電素子２０は、透過ガラス１８および光学ローパスフィルタ３０に接着等により固定されている。圧電素子２０は、図６（Ａ）および図６（Ｃ）に示すように、光学ローパスフィルタ３０の辺３０ａに沿うように、光学ローパスフィルタ３０に対して配置される。しかも、圧電素子２０は、光学ローパスフィルタ３０のシャッタ部４５の開口部７３に対向する領域８０よりも外周側に備えられている。これにより、開口部７３を通過した光束が、圧電素子２０により遮られることがないので、撮像素子１２の有効な面積を確保することができる。圧電素子２０を光学ローパスフィルタ３０の撮像素子１２側に配置したので、図６（Ｂ）に示すように、圧電素子２０は光学ローパスフィルタ３０のシャッタ部材４５側の面には配置されない。
【００４４】
さらに、図６（Ｃ）に示すように、光学ローパスフィルタ３０の撮像素子１２側の面には、２つの圧電素子２０を接続するように、光学ローパスフィルタ３０の辺３０ｂに沿って、２つの弾性体１９ａが備えられる。弾性体１９ａは、光学ローパスフィルタ３０に接着等によって固定されている。
【００４５】
すなわち、２つの圧電素子２０と２つの弾性体１９ａは、図６（Ｃ）に示すように、光学ローパスフィルタ３０に額縁状に配置される。しかも、圧電素子２０と弾性体１９ａは、透過ガラス１８と光学ローパスフィルタ３０とに挟まれるように配置されるので、透過ガラス１８と光学ローパスフィルタ３０との間に塵埃が侵入することのないように、密閉性が確保される。
【００４６】
また、光学ローパスフィルタ３０は、図５に示すように、圧電素子２０等を透過ガラス１８に対して接着等により固定することによって、透明ガラス１８に対して固定される。透過ガラス１８は撮像素子ユニット４を構成する部材であり、図２に示すように、撮像素子ユニット４を構成する基板１０は固定部７１に固定されている。したがって、本実施形態では、圧電素子２０を介して光学ローパスフィルタ３０を撮像素子ユニット４に固定しているため、圧電素子２０の駆動エネルギーを効率的に光学ローパスフィルタ３０に伝えることができる。ゆえに、光学ローパスフィルタ３０に比較的強い振動を与えることで、除塵効果を高めることができる。また、圧電素子２０を光学ローパスフィルタ３０の撮像素子１２側に配置したので、シャッタ基板４３から撮像素子ユニット４までの距離を小さくすることができる。
第３実施形態
【００４７】
第３実施形態のカメラは、図７に示すように、光学ローパスフィルタ３０が、圧電素子２０を介してシャッタ基板４３に接続されること以外は、図１〜図３に示す第１実施形態に係るカメラ１００と同様であり、重複する説明は省略する。
【００４８】
本実施形態においては、図７に示すように、圧電素子２０を光学ローパスフィルタ３０のシャッタ部４５側に配置する。しかも、圧電素子２０の一方の端部２０ａは光学ローパスフィルタ３０に接着等により固定されている。さらに、圧電素子２０の他端２０ｂはシャッタ基板４３に接着等により固定されている。
【００４９】
本実施形態において、圧電素子２０は、図８（Ａ）および図８（Ｂ）に示すように、第１〜第４圧電素子２０１〜２０４からなる。さら第１〜第４圧電素子２０１〜２０４は、光学ローパスフィルタ３０の角の近傍に、光学ローパスフィルタ３０に対して配置される。第１〜第４圧電素子２０１〜２０４は、光学ローパスフィルタ３０におけるシャッタ部材４５側の面に備えられる。弾性体１９は、額縁状の形状を有しており、光学ローパスフィルタ３０における撮像素子ユニット４側の面に備えられる。弾性体１９は、図８（Ｃ）に示すように、透過ガラス１８と光学ローパスフィルタ３０とに挟まれるように配置され、透過ガラス１８と光学ローパスフィルタ３０との間に塵埃が侵入することのないように、密閉性を確保している。
【００５０】
このように、本実施形態では、光学ローパスフィルタ３０が、圧電素子２０１〜２０４を介してシャッタ基板４３に接続される。シャッタ基板４３は固定部７１に固定されている。したがって、圧電素子２０の駆動エネルギーを効率的に光学ローパスフィルタ３０に伝えることができる。ゆえに、比較的に小さいエネルギーで光学ローパスフィルタ３０に振動を確実に発生させることができる。
【００５１】
なお、上述した実施形態では、圧電素子２０１〜２０４が光学ローパスフィルタ３０の角の近傍に設けられていることについて述べたが、これに限定されない。すなわち、圧電素子は１個でも良く、２個以上の複数の圧電素子を配置しても良い。
【００５２】
また、第１〜第３実施形態に係る光学ローパスフィルタ３０は、矩形のものを例に説明したが、円形でも良い。また、図３、図５および図７に示すように、第１〜第３実施形態においては、透過ガラス１８は光学ローパスフィルタ３０を構成しない別の部品として説明した。しかし、これに限定されるものではなく、透過ガラス１８（たとえば水晶板）を光学ローパスフィルタ３０の一部としても良い。
【００５３】
本発明に係る撮像装置は、例えば、カメラボディ、スチルカメラ、ビデオカメラ、カメラが内蔵された携帯電話などを含む。
【符号の説明】
【００５４】
４…撮像素子ユニット
１２…撮像素子
１４…シール部材
１６…粘着シート
１９…弾性体
２０,２０１,２０２,２０３,２０４…圧電素子
３０…光学ローパスフィルタ
５０…ボディＣＰＵ  
４５…シャッタ部
４３…シャッタ基板
４４…シャッタ羽根
【図１】
2010160257.tif 000003
【図２】
2010160257.tif 000004
【図３】
2010160257.tif 000005
【図４】
2010160257.tif 000006
【図５】
2010160257.tif 000007
【図６】
2010160257.tif 000008
【図７】
2010160257.tif 000009
【図８】
2010160257.tif 000010